(57)【要約】    【課題】  音声入力による設定中、操作音で音声が誤認識されることを防止する電子装置を提供する。    【解決手段】  操作者によって操作パネル１４０上の音声キー１１３１が押下された場合、ＣＰＵ５０３は、ハンドセット２１８から入力された音声を、ＲＡＭ５０５の所定範囲のアドレス空間に格納する（Ｓ２）。ＲＡＭ５０５内の別のアドレス空間に格納されている音声データ（操作音の音データ）を読み出し（Ｓ３）、これらの音声データを比較する（Ｓ４）。比較の結果、一致していない場合、入力された音声データの音声認識処理を行う（Ｓ６）。音声認識された音声データのモード情報を基に、操作パネル１０４のモードを設定する（Ｓ７）。一方、比較の結果、一致した場合、入力された音声データの音声認識処理を行わない。つまり入力された音声データを音声認識処理から除外する。【選択図】      図８
2005196047.tif 000002
【特許請求の範囲】
【請求項１】
ユーザによって操作される被操作部材を有し、入力された音声の認識結果を基に設定を行う電子装置において、
音声を入力する音声入力手段と、
前記入力された音声を認識する音声認識手段と、
予め記憶媒体に登録され、前記被操作部材が操作される際に発する操作音と前記音声入力手段によって入力された音声とを比較する比較手段と、
前記比較の結果、前記操作音と前記入力された音声とが一致した場合、該音声を前記音声認識手段によって認識される音声から除外する除外手段とを備えたことを特徴とする電子装置。
【請求項２】
前記操作音を前記記憶媒体に登録する登録手段を備えたことを特徴とする請求項１記載の電子装置。
【請求項３】
前記登録手段は、前記音声入力手段を用い、該音声入力手段から入力される音声を前記操作音として登録することを特徴とする請求項２記載の電子装置。
【請求項４】
前記登録手段は、ユーザによって操作される登録画面を備え、該登録画面に設定された開始キーおよび終了キーが順に押下される間に、前記音声入力手段によって入力される音声を前記操作音として登録することを特徴とする請求項３記載の電子装置。
【請求項５】
前記音声の認識結果を基に行われる設定は、前記電子装置の操作パネルから手動で入力可能な設定であることを特徴とする請求項１記載の電子装置。
【請求項６】
画像形成装置に適用されたことを特徴とする請求項１乃至５のいずれかに記載の電子装置。
【請求項７】
ユーザによって操作される被操作部材を有する電子装置の設定を、入力された音声の認識結果を基に行う入力設定方法において、
音声を入力する音声入力ステップと、
前記入力された音声を認識する音声認識ステップと、
前記電子装置に搭載された記憶媒体に予め登録され、前記被操作部材が操作される際に発する操作音と前記入力された音声とを比較する比較ステップと、
前記比較の結果、前記操作音と前記入力された音声とが一致した場合、該音声を前記音声認識ステップで認識される音声から除外する除外ステップとを有することを特徴とする入力設定方法。
【発明の詳細な説明】
【技術分野】
【０００１】
本発明は、音声入力により設定可能な電子装置および入力設定方法に関する。
【背景技術】
【０００２】
従来、この種の電子装置として、操作パネル上のキー入力による設定の他、音声による入力で各種モードを設定可能な画像形成装置が知られている（例えば、特許文献１参照）。この画像形成装置では、音声入力により、像形成モードが呼び出される。                
【特許文献１】特開２０００−１８１２９２号公報
【発明の開示】
【発明が解決しようとする課題】
【０００３】
しかしながら、上記従来の電子装置では、以下に掲げる問題があった。すなわち、音声の入力中、操作者が画像形成装置を操作することが考えられるが、この場合、音声が誤認識されてしまうおそれがあった。例えば、前ドアの開閉、給紙カセットの開閉、自動原稿送り装置の開閉などの操作が行われた場合、これらの操作音が音声として入力されることが予想され、この操作音によって  誤認識が生じてしまう。
【０００４】
そこで、本発明は、音声入力による設定中、操作音で音声が誤認識されることを防止する電子装置および入力設定方法を提供することを目的とする。
【課題を解決するための手段】
【０００５】
上記目的を達成するために、本発明の電子装置は、ユーザによって操作される被操作部材を有し、入力された音声の認識結果を基に設定を行う電子装置において、音声を入力する音声入力手段と、前記入力された音声を認識する音声認識手段と、予め記憶媒体に登録され、前記被操作部材が操作される際に発する操作音と前記音声入力手段によって入力された音声とを比較する比較手段と、前記比較の結果、前記操作音と前記入力された音声とが一致した場合、該音声を前記音声認識手段によって認識される音声から除外する除外手段とを備えたことを特徴とする。
【０００６】
本発明の入力設定方法は、ユーザによって操作される被操作部材を有する電子装置の設定を、入力された音声の認識結果を基に行う入力設定方法において、音声を入力する音声入力ステップと、前記入力された音声を認識する音声認識ステップと、前記電子装置に搭載された記憶媒体に予め登録され、前記被操作部材が操作される際に発する操作音と前記入力された音声とを比較する比較ステップと、前記比較の結果、前記操作音と前記入力された音声とが一致した場合、該音声を前記音声認識ステップで認識される音声から除外する除外ステップとを有することを特徴とする。
【発明の効果】
【０００７】
本発明の請求項１に係る電子装置によれば、音声を入力し、入力された音声を認識する際、記憶媒体に予め登録され、被操作部材が操作される際に発する操作音と入力された音声とを比較し、この比較の結果、操作音と入力された音声とが一致した場合、この音声を音声認識される音声から除外するので、音声入力による設定中、操作音で音声が誤認識されることを防止できる。
【０００８】
請求項２に係る電子装置によれば、ユーザの操作に合わせて適宜、操作音を追加することができる。請求項３に係る電子装置によれば、操作音の登録時、同じ音声入力手段を用いることで、その特性を揃えることができ、比較処理を簡単にすることができる。請求項４に係る電子装置によれば、ユーザの操作性を向上できる。請求項５に係る電子装置によれば、手動入力による操作を確保し、音声入力による不具合に対処できる。
【発明を実施するための最良の形態】
【０００９】
本発明の電子装置および入力設定方法の実施の形態について、図面を参照しながら説明する。本実施形態の電子装置は画像形成装置に適用される。図１は実施の形態における画像形成装置の内部構成を示す図である。１０１は、原稿自動送り装置１４２から給送された原稿が順次、所定位置に載置される原稿台ガラスである。１０２は、例えばハロゲンランプから構成される原稿照明ランプであり、原稿台ガラス１０１に載置された原稿を露光する。１０３、１０４、１０５は走査ミラーであり、光学走査ユニット（図示せず）に収容され、図中左右方向に往復移動しながら、原稿からの反射光をＣＣＤユニット１０６に導く。１０６は、ＣＣＤから構成される撮像素子１０８、このＣＣＤに原稿からの反射光を結像させる結像レンズ１０７、撮像素子１０８を駆動するＣＣＤドライバ１０９等から構成されるＣＣＤユニットである。撮像素子１０８から出力される画像信号は、例えば８ビットのデジタルデータに変換された後、コントローラ部１３９に入力される。
【００１０】
１１０は感光ドラムであり、画像形成に備えるために、予め前露光ランプ１１２によって除電される。１１３は１次帯電器であり、感光ドラム１１０を一様に帯電させる。１１７は露光部であり、例えば半導体レーザなどから構成され、画像形成や装置全体を制御するコントローラ部１３９によって処理された画像データに基づき、感光ドラム１１０を露光して静電潜像を形成する。１１８は現像器であり、黒色の現像剤（トナー）を収容する。１１９は転写前帯電器であり、感光ドラム１１０上に現像されたトナー像を用紙に転写する前に感光ドラム１１０に高圧をかける。
【００１１】
１２０、１２２、１２４は給紙ユニットである。各給紙ローラ１２１、１２３、１２５の駆動により、転写用紙は各給紙ユニット１２０、１２２、１２４から画像形成装置内に給送され、レジストローラ１２６の位置で一旦停止した後、感光ドラム１１０に形成された画像と書き出しタイミングがとられて再給送される。
【００１２】
１２７は転写帯電器であり、感光ドラム１１０に現像されたトナー像を、給送される転写用紙に転写する。１２８は分離帯電器であり、転写動作が終了した転写用紙を感光ドラム１１０から分離する。転写されずに感光ドラム１１０上に残ったトナーは、クリーナ１１１によって回収される。１２９は搬送ベルトであり、転写プロセスが終了した転写用紙を定着器１３０に搬送する。搬送された転写用紙は、熱などにより定着される。１３１はフラッパであり、定着プロセスが終了した転写用紙の搬送パスを、ステイプルソータ１３２または中間トレイ１３７の配置方向に切り替える。ステイプルソータ１３２に排紙された用紙が各ビンに仕分けされると、ステイプル部１４１は、コントローラ部１３９からの指示にしたがってステイプルを行う。
【００１３】
１３３〜１３６は給送ローラであり、一度定着プロセスが終了した転写用紙を中間トレイ１３７に給送する。このとき、多重印刷の場合、反転して給送され、両面印刷の場合、非反転のまま給送される。１３８は再給送ローラであり、中間トレイ１３７に載置された転写用紙を再度、レジストローラ１２６まで搬送する。コントローラ部１３９には、後述するマイクロコンピュータ、画像処理部などが設けられており、マンマシンインターフェース（ＭＭＩ）装置（操作パネル）１４０からの指示にしたがって、前述した画像形成動作を行う。
【００１４】
図２は画像形成装置におけるコントローラ部１３９の構成を示すブロック図である。図において、２０１は画像形成装置全体の制御を行うＣＰＵであり、装置本体の制御手順（制御プログラム）が記憶された読み取り専用メモリ（ＲＯＭ）２０３からプログラムを順次読み取って実行する。ＣＰＵ２０１のアドレスバスおよびデータバスは、バスドライバ回路およびアドレスデコーダ回路２０２を経て各負荷に接続されている。２０４は入力データの記憶や作業用記憶領域等として用いられる主記憶装置としてのランダムアクセスメモリ（ＲＡＭ）である。
【００１５】
２０５はＩ／Ｏインターフェースである。Ｉ／Ｏインターフェース２０５には、操作者がキー入力を行ったり、液晶やＬＥＤを用いて装置の状態などを表示する操作パネル１４０、給紙系、搬送系および光学系の駆動を行うモータ類２０７、クラッチ類２０８、ソレノイド類２０９、搬送される用紙を検知する紙検知センサ類２１０などの装置の負荷が接続される。また、Ｉ／Ｏインターフェース２０５には、現像器１１８に配置され、現像器内のトナー量を検知するトナー残検センサ２１１が接続され、その出力信号が入力される。また、Ｉ／Ｏインターフェース２０５には、高圧ユニット２１５が接続され、ＣＰＵ２０１からの指示にしたがって、１次帯電器１１３、現像器１１８、転写前帯電器１１９、転写帯電器１２７および分離帯電器１２８に高圧を出力する。また、Ｉ／Ｏインターフェース２０５には、レーザユニット１１７の発光状態を検知するビーム検知センサ２１３が接続される。
【００１６】
２０６は画像処理部であり、ＣＣＤユニット１０６から出力された画像信号を入力して画像処理を行い、画像処理された画像データを基に、レーザユニット１１７に制御信号を出力する。レーザユニット１１７から出力されるレーザ光は、感光ドラム１１０を照射して露光するとともに、非画像領域に配置されたビーム検知センサ２１３によってその発光状態が検知される。ビーム検知センサ２１３の出力信号はＩ／Ｏインターフェース２０５に入力される。
【００１７】
図３はコントローラ部１３９内の画像処理部２０６の構成を示すブロック図である。ＣＣＤ１０８により電気信号に変換された画像信号に対し、シェーディング回路３０１で画素間のばらつきが補正された後、変倍回路３０２で縮小コピー時にデータの間引き処理が行われ、拡大コピー時にデータの補間が行われる。
【００１８】
さらに、エッジ強調回路３０３では、例えば５×５のウインドウで２次微分が行われ、画像のエッジが強調される。この画像データは輝度データであるので、この画像データをプリンタに出力するための濃度データに変換する際、γ変換回路３０４はテーブルサーチによりデータ変換を行う。濃度データに変換された画像データは、２値化処理部３０５に入力される。本実施形態では、ＥＤ法により多値データは２値データに変換される。２値に変換された画像データは、合成回路３０７に入力される。合成回路３０７は、入力された画像データと、ＤＲＡＭからなる画像用メモリ３１０内の画像データとを選択的に出力したり、あるいは論理和（ＯＲ）をとって出力する。メモリ制御部３０９は、この画像用メモリ３１０に対するリードライト制御を行う。これらの画像データは、レーザの発光強度信号に変換するためＰＷＭ回路３０８に入力されると、ＰＷＭ回路３０８は画像の濃度に応じたパルス幅の信号をレーザユニット１１７に対して出力する。
【００１９】
図４はマンマシンインターフェース装置（操作パネル）１４０の構成を示すブロック図である。図において、４０１は操作パネル１４０全体の制御を行うＣＰＵであり、装置の制御手順（制御プログラム）が記憶された読み取り専用メモリ（ＲＯＭ）４０３からプログラムを順次読み取って実行する。
【００２０】
ＣＰＵ４０１のアドレスバスおよびデータバスは、バスドライバ回路およびアドレスデコーダ回路４０２を経て各負荷に接続されている。４０４は入力データの記憶や作業用記憶領域等として用いられる主記憶装置としてのランダムアクセスメモリ（ＲＡＭ）である。４０５はＩ／Ｏインターフェースである。Ｉ／Ｏインターフェース４０５には、キーおよびＬＥＤから構成されるキー／ＬＥＤ部２２２が接続されており、キー／ＬＥＤ部２２２によってキー入力やＬＥＤへの出力が行われる。
【００２１】
２１９はＬＣＤ２２１に転送される表示データを制御するＬＣＤコントローラであり、表示用のバッファメモリ（ＶＲＡＭ）に一時的に表示データを蓄積し、ＬＣＤ２２１に表示データを転送する。２１６は音声入出力ユニットであり、ハンドセット２１８との音声入出力、スピーカ２１７への音声出力を行う回路を有する。ＣＰＵ４０１は、バスを介して音声データの入出力を行う。４０６は外部ＣＰＵと通信を行う際の通信用のＤＰＲＡＭ（デュアルポートＲＡＭ）であり、このＤＰＲＡＭ４０６を介して、外部ＣＰＵとデータのやり取りが行われる。
【００２２】
図５は操作パネル１４０内の音声入出力ユニット２１６の構成を示すブロック図である。音声入出力ユニット２１６は、ＣＰＵバスを介してＣＰＵ５０３側から出力される音声データをスピーカ２１７もしくはハンドセット２１８を介して外部に出力する音声出力回路と、ハンドセット２１８を介して外部から入力された音声データを、ＣＰＵバスを介してＣＰＵ５０３側に入力する音声入力回路とから主に構成される。
【００２３】
ＣＰＵ５０３は、音声入出力ユニット２１６の全体制御および入力音声の音声認識処理を行うものであり、装置の制御手順（制御プログラム）が記憶された読み取り専用メモリ（ＲＯＭ）５０４からプログラムを順次読み取って実行する。この音声認識処理では、公知のＤＰマッチング法あるいはＨＭＭ（Ｈｉｄｄｅｎ  Ｍａｒｋｏｖ  Ｍｏｄｅｌ）手法が用いられる。
【００２４】
５０５は、入力データの記憶や作業用記憶領域等として用いられる主記憶装置としてのランダムアクセスメモリ（ＲＡＭ）である。５０６は、操作パネル全体を制御するＣＰＵ４０１と通信を行う際の通信用ＤＰＲＡＭ（デュアルポートＲＡＭ）である。ＣＰＵ５０３は、ＤＰＲＡＭ５０６を介してＣＰＵ４０１とデータのやり取りを行う。
【００２５】
２１７はスピーカであり、アンプ５２８から入力されたアナログ信号の音声出力を行う。２１８はハンドセットであり、アンプ５２７から入力されたアナログ信号（音声信号）の外部出力、外部入力されたアナログ信号（音声信号）をアンプ５３７への出力、およびハンドセット２１８のオンフック／オフフック検知信号をレジスタ制御部５１３への出力を行う。
【００２６】
５１１は、バスＩ／Ｆ制御部であり、ＦＩＦＯ５２１、５３１への読み書きタイミング信号を生成するタイミング制御部５１２に制御信号を出力し、ＣＰＵ５０３側のＣＰＵバスとＦＩＦＯ５２１、５３１との間で音声データをやり取りする。また、バスＩ／Ｆ制御部５１１は、レジスタ制御部５１３内の各種レジスタへの読み書き、および割り込み生成部５１５によって入力された割り込み信号を基に、ＣＰＵ５０３に対する割り込みを行う。
【００２７】
５１２はタイミング制御部であり、バスＩ／Ｆ制御部５１１の制御信号、およびレジスタ制御部５１３内のコントロールレジスタおよびステータスレジスタの設定に従って、ＦＩＦＯ５２１、５３１への読み書きのタイミング制御を行う。また、タイミング制御部５１２は、ＦＩＦＯ５２１、５３１の書込み位置および読出し位置を示すアドレスを、レジスタ制御部５１３内のカウンタレジスタに保持し、そのカウントアップ制御を行う。
【００２８】
５１３はレジスタ制御部であり、バスＩ／Ｆ制御部５１１、タイミング制御部５１２、アンプＯＮ／ＯＦＦ制御部５１４、割り込み生成部５１５、Ａ／Ｄ，Ｄ／Ａ制御部５１６、データ変換部５２２、５２４、５３２、５３４、補間部５２３および間引き部５３３で利用されるステータスレジスタ、コントロールレジスタおよびカウンタレジスタを有し、これらのレジスタを制御する。
【００２９】
例えば、レジスタ制御部５１３によるレジスタ制御として、ハンドセット２１８から入力されたオンフック／オフフック検知信号によってステータスレジスタのＯＮ／ＯＦＦを切り替えたり、ＦＩＦＯ５２１、５３１の書込み位置、読出し位置を示すカウンタレジスタがＦＩＦＯサイズに達した場合、ステータスレジスタをセットしたり、音声入出力ユニット２１６の処理終了を示すステータスレジスタをセットすることが挙げられる。
【００３０】
５１４は、アンプＯＮ／ＯＦＦ制御部であり、レジスタ制御部５１３内のコントロールレジスタの設定に従って、アンプ５２７、５２８、５３７のＯＮ／ＯＦＦ制御を行う。このコントロールレジスタは、バスＩ／Ｆ制御部５１１を介して、ＣＰＵ５０３によって制御される。また、オンフック／オフフックを示すステータスレジスタによって、ＯＮ／ＯＦＦ制御される。
【００３１】
５１５は割り込み生成部であり、レジスタ制御部５１３内のステータスレジスタのステータスに変化があった場合、割り込み信号を生成し、バスＩ／Ｆ制御部５１１を介してＣＰＵ５０３に割り込み信号を出力する。ここで、割り込み信号を生成する例として、ハンドセット２１８のオンフック／オフフックが検知されたとき、ＦＩＦＯ５２１、５３１の読み書きが終了したとき、音声入出力ユニット２１６の処理が終了したときなどが挙げられる。
【００３２】
５１６はＡ／Ｄ，Ｄ／Ａ制御部であり、レジスタ制御部５１３内のコントロールレジスタの設定に従って、Ｄ／Ａ変換部５２５およびＡ／Ｄ変換部５３５のサンプリング周波数を変更し、ＯＮ／ＯＦＦ制御および変換開始制御を行う。このコントロールレジスタは、バスＩ／Ｆ制御部５１１を介して、ＣＰＵ５０３によって制御される。また、オンフック／オフフックを示すステータスレジスタによってＯＮ／ＯＦＦ制御される。
【００３３】
５２１、５３１はＦＩＦＯ（Ｆｉｒｓｔ  Ｉｎ  Ｆｉｒｓｔ  Ｏｕｔ）であり、音声データ用のバッファメモリである。ここで、ＦＩＦＯはシングルバッファ、ダブルバッファのどちらの構成でもよい。
【００３４】
５２２、５２４、５３２、５３４はデータ変換部であり、補間部５２３あるいは間引き部５３３がデータ処理で使用するデータ幅と、ＦＩＦＯ５２１、５３１、Ｄ／Ａ変換部５２５あるいはＡ／Ｄ変換部５３５のデータ幅とを合わせる。このデータ変換部５２２、５２４、５３２、５３４は、全てが同じデータ幅で処理されている場合、不要である。
【００３５】
５２３は補間部であり、Ｄ／Ａ変換部５２５のサンプリング周波数より音声データのサンプリング周波数が小さくてデータ量が少ない場合、データを補間する。また、補間部５２３は、レジスタ制御部５１３内のコントロールレジスタの設定に従って、補間方法を変更する。このコントロールレジスタは、バスＩ／Ｆ制御部５１１を介して、ＣＰＵ５０３によって制御される。５２５はＤ／Ａ変換部であり、Ａ／Ｄ，Ｄ／Ａ制御部５１６で設定されたサンプリング周波数に従って、デジタル信号をアナログ信号に変換する。５２６、５３６は、高周波成分をカットするＬＰＦ（Ｌｏｗ  Ｐａｓｓ  Ｆｉｌｔｅｒ）である。ここで、ＬＰＦ５２６のカットオフ周波数は、Ｄ／Ａ変換部５２５のサンプリング周波数の１／２以下の周波数であり、ＬＰＦ５３６のカットオフ周波数はＡ／Ｄ変換部５３５のサンプリング周波数の１／２以下の周波数である。
【００３６】
５２７、５２８、５３７は信号増幅を行うアンプであり、アンプＯＮ／ＯＦＦ制御部５１４によりそのＯＮ／ＯＦＦが制御される。５３３は間引き部であり、Ａ／Ｄ変換部５３５のサンプリング周波数より音声データのサンプリング周波数が小さくてデータ量が少ない場合、データの間引きを行う。また、レジスタ制御部５１３内のコントロールレジスタの設定に従って、間引き方法を変更する。５３５はＡ／Ｄ変換部であり、Ａ／Ｄ，Ｄ／Ａ制御部５１６で設定されたサンプリング周波数に従って、アナログ信号をデジタル信号に変換する。
【００３７】
図６はマンマシンインターフェース装置（操作パネル）１４０の構成を示す図である。ＬＣＤ表示部１０３２は、ＬＣＤ上にタッチパネルシートが貼られたものであり、画像形成装置の操作画面を表示するとともに、表示されているキーが押されると、その位置情報をＣＰＵ４０１に伝える。テンキー１０２８は、コピー枚数など、数字入力に使用される。スタートキー１０２９は、原稿画像の読み取り動作を開始する際に使用される。ストップキー１０３０は、稼働中の動作を中止する際に使用される。リセットキー１０３１は、操作部からの設定を初期化する際に使用される。
【００３８】
１０２３はガイドキーである。キーの機能が解らないとき、このガイドキー１０２３が押下されると、そのキーの説明が表示される。１０２４はコピーモードキーであり、複写を行う際に使用される。１０２５はファクス（ＦＡＸ）キーであり、ファクスに関する設定を行う際に使用される。１０２６はファイルキーであり、ファイルデータを出力する際に使用される。１０２７はプリンタキーであり、コンピュータ等の外部装置からプリント出力に関する設定等を行う際に使用される。１１３１は音声キーである。音声の入出力を受け付ける際、この音声キー１１３１を押下して設定を行い、再度、音声キー１１３１を押下して設定を解除する。２１７はスピーカであり、音声によるガイドを出力する。２１８はハンドセットであり、このハンドセット２１８を使用して音声を入力したり、音声ガイドを聞くことができる。
【００３９】
図７はマンマシンインターフェース装置（操作パネル）１４０のＬＣＤ表示部に表示された基本画面を示す図である。図において、１００１は拡張機能キーである。この拡張機能キー１００１を押下することによって、両面複写、多重複写、移動、とじ代の設定、枠消しの設定等のモードに移行することが可能である。１００２は画像モードキーである。この画面モードキー１００２を押下することによって、複写画像に対して網掛け、影付け、トリミング、マスキングを行う設定モードに移行することが可能である。１００３はユーザモードキーである。このユーザモードキー１００３を押下することによって、モードメモリの登録および標準モード画面の設定をユーザ毎に行うことが可能である。
【００４０】
１００４は応用ズームキーである。この応用ズームキー１００４を押下することによって、原稿のＸ方向、Ｙ方向を独立に変倍するモード、原稿のサイズおよび複写サイズから変倍率を計算する（ズームプログラム）モードに移行することが可能である。１００５、１００６、１００７はＭ１キー、Ｍ２キー、Ｍ３キーであり、それぞれのモードメモリを呼び出す際に押下される。１００８はコールキーであり、前回設定された複写モードを呼び出す際に押下される。１００９はオプションキーであり、フィルムから直接複写するフィルムプロジェクタ等のオプション機能を設定する際に押下される。
【００４１】
１０１０はソータキーであり、ソート出力、グループ出力等のモード設定を行う際に押下される。１０１１は原稿混載キーであり、原稿フィーダに、Ａ４サイズとＡ３サイズ、またはＢ５サイズとＢ４サイズの原稿を一緒にセットする際に押下される。１０１２は等倍キーであり、複写倍率を１００％に設定する際に押下される。１０１４、１０１５はそれぞれ縮小キー、拡大キーであり、それぞれ定形の縮小、拡大を行う際に押下される。１０１６はズームキーであり、１％刻みで非定形の縮小、拡大を行う際に押下される。１０１３は用紙選択キーであり、複写用紙の選択を行う際に押下される。１０１８、１０２０は濃度キーであり、濃度キー１０１８を押す度に複写の濃度が濃くなり、濃度キー１０２０を押す度に複写の濃度が薄くなる。１０１７は濃度表示部であり、濃度キー１０１８、１０２０のいずれかを押すと、表示位置が左右に変化する。
【００４２】
１０１９はＡＥキーであり、新聞のように地肌の濃い原稿を自動濃度調整で複写する際に押下される。１０２１はＨｉＦｉキーであり、写真原稿のように中間調の濃度が多い原稿を複写する際に押下される。１０２２は文字強調キーであり、文字原稿の複写で文字を際立たせたい場合に押下される。１０２３は音声記憶キーであり、音声認識時に認識される音声から除外したい音声を入力してＲＡＭ５０５に記憶（登録）する際に押下される。
【００４３】
上記構成を有する画像形成装置の動作を示す。図８は音声入力によるモード設定処理手順を示すフローチャートである。この処理プログラムは、ＲＯＭ４０３、５０４に格納されており、ＣＰＵ４０１、５０３によって実行される。まず、ＣＰＵ４０１は、操作者によって操作パネル１４０上の音声キー１１３１が押下されたか否かを判別する（ステップＳ１）。音声キー１１３１が押下されない場合、そのまま本処理を終了し、一方、音声キー１１３１が押下された場合、ＣＰＵ５０３は、ハンドセット２１８から入力された音声を、ＲＡＭ５０５の所定範囲のアドレス空間に格納する（ステップＳ２）。
【００４４】
同じくＲＡＭ５０５内の別のアドレス空間に格納されている音声データ（操作音の音データ）を読み出し（ステップＳ３）、これらの音声データを比較する（ステップＳ４）。比較の結果、一致したか否かを判別し（ステップＳ５）、一致していないと判別された場合、入力された音声データの音声認識処理を行う（ステップＳ６）。尚、ステップＳ５の音声データの比較では、登録された操作音の音データが入力された音声データに含まれている場合、あるいは操作音の音データと入力された音声データがほぼ一致している場合、これらは一致していると判別される。尚、この一致の判別は、実際に画像形成装置が誤認識するか否かによって決定することも可能である。そして、音声認識された音声データのモード情報をＣＰＵ５０３からＣＰＵ４０１に転送し、ＣＰＵ４０１によって操作パネル１０４のモードを設定する（ステップＳ７）。ここで、設定されるモードとしては、例えば、図６、図７の操作パネルから手動によるキー入力操作で設定されるモードであり、コピー、ファクシミリ、プリンタ等のモード選択や、用紙選択、両面印刷、コピー枚数、濃度調整などである。この後、本処理を終了する。一方、ステップＳ５で一致した場合、入力された音声データの音声認識処理を行わず、つまりステップＳ６の音声認識の対象から除外し、そのまま本処理を終了する。
【００４５】
図９は操作音の音データ登録処理手順を示すフローチャートである。この処理プログラムは、ＲＯＭ４０３に格納されており、ＣＰＵ４０１によって実行される。まず、ＣＰＵ４０１は、操作パネル１４０上の音声記憶キー１０２３が押下されたか否かを判別する（ステップＳ１１）。音声記憶キー１０２３が押下されていない場合、本処理を終了し、一方、音声記憶キー１０２３が押下された場合、音声認識除外音声の記憶モードの登録画面を表示する（ステップＳ１２）。図１０は音声認識除外音声の記憶モードの登録画面を示す図である。開始キー８０１は、音声認識除外音声の登録開始を指示するキーである。終了キー８０２は、音声認識除外音声の登録終了を指示するキーである。戻るキー８０３は、この登録画面から図７の基本画面に戻すキーである。
【００４６】
そして、開始キー８０２が押されるのを待つ（ステップＳ１３）。開始キー８０２が押されると、ＣＰＵ５０３は、ハンドセット２１８から入力された音声をＲＡＭ５０５の所定範囲のアドレス空間に格納する（ステップＳ１４）。この後、終了キー８０２が押下されたか否かを判別する（ステップＳ１５）。終了キー８０２が押下されない場合、ステップＳ１４に戻って、同様の処理を繰り返す。
【００４７】
一方、終了キー８０２が押されると、ＣＰＵ４０１は、音声認識除外音声の登録動作（記憶動作）を終了し、図１０の登録画面を表示したまま、戻るキー８０３の入力待ちの状態となる（ステップＳ１６）。戻るキー８０３が押下されると、図７の基本画面に戻る。尚、ステップＳ１６の状態から、再度開始キー８０１が押された場合、音声登録を再開するような処理にしてもよいことは勿論である。
【００４８】
このように、本実施形態の画像形成装置によれば、音声入力によるモード設定中、装置の操作音で音声が誤認識されることを防止できる。また、ユーザの操作に合わせて適宜、操作音を追加することができる。また、操作音の登録時、音声入力と同じハンドセットを用いることで、その特性を揃えることができ、ステップＳ４の比較処理を簡単にすることができる。また、ユーザの操作性を向上できる。また、手動入力による操作を確保し、音声入力による不具合に対処できる。
【００４９】
以上が本発明の実施形態の説明であるが、本発明は、これら実施形態の構成に限られるものではなく、特許請求の範囲で示した機能、または実施形態の構成が持つ機能が達成できる構成であればどのようなものであっても適用可能である。
【００５０】
例えば、上記実施形態では、図１０の開始キー８０１および終了キー８０２を順に押下する間に、音声データをＲＡＭ５０５に登録する場合を示したが、登録後に、音声データを削除したり、編集するようにしてもよいことは勿論である。例えば、登録時には、操作音だけを登録し、その後にユーザの声や周囲の雑音を操作音に加えてもよい。また、上記実施形態では、操作音の登録時、音声入力に使用されるハンドセットが兼用されたが、別のマイクなどを用いてもよいことは勿論である。
【００５１】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００５２】
この場合、記憶媒体から読み出されたプログラムコード自体が前述した実施形態の機能を実現することになり、そのプログラムコードを記憶した記憶媒体は本発明を構成することになる。
【００５３】
又、プログラムコードを供給するための記憶媒体としては、例えば、ＲＯＭ、フロッピー（登録商標）ディスク、ＰＣＭＣＩＡカードやコンパクトフラッシュ（登録商標）等のメモリカード、ハードディスク、マイクロＤＡＴ、光磁気ディスク、ＣＤ−ＲやＣＤ−ＲＷ等の光ディスク、ＤＶＤ等の相変化型光ディスク等で構成されてもよい。
【００５４】
また、コンピュータが読み出したプログラムコードを実行することにより、上記実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００５６】
【図１】実施の形態における画像形成装置の内部構成を示す図である。
【図２】画像形成装置におけるコントローラ部１３９の構成を示すブロック図である。
【図３】コントローラ部１３９内の画像処理部２０６の構成を示すブロック図である。
【図４】マンマシンインターフェース装置（操作パネル）１４０の構成を示すブロック図である。
【図５】操作パネル１４０内の音声入出力ユニット２１６の構成を示すブロック図である。
【図６】マンマシンインターフェース装置（操作パネル）１４０の構成を示す図である。
【図７】マンマシンインターフェース装置（操作パネル）１４０のＬＣＤ表示部に表示された基本画面を示す図である。
【図８】音声入力によるモード設定処理手順を示すフローチャートである。
【図９】操作音の音データ登録処理手順を示すフローチャートである。
【図１０】音声認識除外音声の記憶モードの登録画面を示す図である。
【符号の説明】
【００５７】
１４０  操作パネル（マンマシンインターフェース装置）
２１６  音声入出力ユニット
２１８  ハンドセット
４０１  ＣＰＵ
４０３  ＲＯＭ
５０３  ＣＰＵ
５０４  ＲＯＭ
８０１  開始キー
８０２  終了キー
１０２３  音声記憶キー
１１３１  音声キー
【図１】
2005196047.tif 000003
【図２】
2005196047.tif 000004
【図３】
2005196047.tif 000005
【図４】
2005196047.tif 000006
【図５】
2005196047.tif 000007
【図６】
2005196047.tif 000008
【図７】
2005196047.tif 000009
【図８】
2005196047.tif 000010
【図９】
2005196047.tif 000011
【図１０】
2005196047.tif 000012